(57)【特許請求の範囲】
【請求項１】
バッテリーの＋極及び−極のバッテリー端子を、先端に平坦な当接面が設けられた台座と、前記台座の当接面に突設されると共に雄ねじが刻設された円柱状のポストとで構成し、且つ、前記各台座の片側には、＋極用と−極用とで前記ポストに対する位置が逆側となるように、スリットを装備し、各バッテリー端子に接続するバッテリ用ターミナルは、前記ポストの外径に応じたポスト挿通穴が貫通形成された平板部と、接続対象電極の台座のスリット位置に応じて前記平板部の一側縁に起立装備されて前記平板部を接続対象電極の台座の当接面に当接させた時に前記スリットに圧入される位置決めリブと、前記平板部の他側縁に前記位置決めリブと逆向きに起立装備された誤組み付け検出リブとを備え、各バッテリ用ターミナルは、平板部のポスト挿通穴に接続対象電極のポストを挿通後、前記ポストに螺合するナット部材で、接続対象電極の台座に締結固定されることを特徴とするバッテリーの端子接続構造。
【請求項２】
バッテリーの＋極及び−極のバッテリー端子を、先端に平坦な当接面が設けられた台座と、前記台座の当接面に突設されると共に雄ねじが刻設された円柱状のポストとで構成し、且つ、前記各台座には、＋極用と−極用とで位置が異なるように、あるいは、個数が相異するように、スリットを装備し、各バッテリー端子に接続するバッテリ用ターミナルは、前記ポストの外径に応じたポスト挿通穴が貫通形成された平板部と、接続対象電極の台座のスリット位置及びスリット数に応じて前記平板部の側縁に起立装備されて前記平板部を接続対象電極の台座の当接面に当接させた時に前記スリットに圧入される位置決めリブとを備え、各バッテリ用ターミナルは、平板部のポスト挿通穴に接続対象電極のポストを挿通後、前記ポストに螺合するナット部材で、接続対象電極の台座に締結固定されることを特徴とするバッテリーの端子接続構造。
【発明の詳細な説明】
【０００１】
【発明の属する技術分野】
本発明は、車両等に搭載されるバッテリーにバッテリ用ターミナルをねじ部材により締結固定するバッテリーの端子接続構造に関するもので、詳しくは、端子の接続方向の規制や、誤接続の防止を実現するための改良に関するものである。
【０００２】
【従来の技術】
図８及び図９は、車両等に搭載されるバッテリーのバッテリー端子に、各種の電装品と接続されたバッテリ用ターミナルを、ねじ部材により締結固定するバッテリーの端子接続構造の従来例を示したものである。
ここに示したバッテリーの端子接続構造は、特開平４−２２０９４７号公報に開示されたもので、バッテリー１の＋極及び−極の各バッテリー端子３，４は、バッテリー１上の台座部３ａ，４ａに四角柱状のポスト３ｂ，４ｂを立設させた構造である。
各ポスト３ｂ，４ｂは、先端に平坦な当接面６，７が形成され、当接面６，７には、後述するバッテリ用ターミナルをねじ止めするためのねじ孔８，９が形成されている。このねじ孔８，９は、＋極と−極とで装備位置が異なるように、それぞれの当接面の中心部から互いに異なる方向に偏心して設けられている。
【０００３】
バッテリ用ターミナル１１，１２は、ポスト３ｂ，４ｂの先端の当接面６，７に当接させる平板部１１ａ，１２ａと、これら平板部１１ａ，１２ａの縁部に立設されてポスト３ｂ，４ｂの側面に当接する当接壁部１１ｂ，１２ｂと、電線１６，１７を圧着接続する電線加締め部１１ｃ，１２ｃとを有する。そして、各平板部１１ａ，１２ａには、接続対象電極のねじ孔８，９に相応した偏心位置にねじ挿通穴１４，１５が設けられている。
【０００４】
【発明が解決しようとする課題】
以上のバッテリーの端子接続構造では、各バッテリ用ターミナル１１，１２の平板部１１ａ，１２ａを、ねじ挿通穴１４，１５がポスト３ｂ，４ｂ上のねじ孔８，９に合致するように、ポスト３ｂ，４ｂ上の当接面６，７にセットすると、当接壁部１１ｂ，１２ｂがポスト３ｂ，４ｂの角部に引っ掛かり、回り止めとして機能する。そのため、ねじ孔８，９に螺合するボルト１９で締結した際、バッテリ用ターミナル１１，１２がポスト３ｂ，４ｂに対して回転不能に規制されて、接続方向の引き出しずれが防止できる。
また、バッテリ用ターミナル１１，１２は、既述したように、＋極と−極とで、ねじ挿通穴１４，１５の装備位置を相異させているため、誤って、逆の電極に接続してしまう誤接続を防止することもできる。
【０００５】
ところが、前述した従来のバッテリーの端子接続構造では、当接壁部１１ｂ，１２ｂを、回り止めとして有効に機能させる為には、ボルト１９の締め付けが完了するまでの間、バッテリ用ターミナル１１，１２の平板部１１ａ，１２ａがポスト３ｂ，４ｂの当接面６，７から浮き上がらないように、バッテリ用ターミナル１１，１２を各ポスト３ｂ，４ｂに押さえ付けた仮固定状態に維持しておかねばならない。
このバッテリ用ターミナル１１，１２の押さえ付けのために、片手がふさがってしまうと、狭い場所でのボルト１９の締結操作が行い難く、作業性が悪いという問題があった。
【０００６】
また、ボルト１９を取り付ける際には、バッテリ用ターミナル１１，１２の当接壁部１１ｂ，１２ｂが適正に各ポスト３ｂ，４ｂの側面に当接した状態が保持されるように、絶えず付勢していないと、平板部１１ａ，１２ａが当接面６，７上を滑って、ねじ挿通穴１４，１５の位置がねじ孔８，９の位置からずれて、ボルト１９が挿通できなくなったり、あるいは、セットしたボルト１９が落下するという不都合も生じる。
【０００７】
本発明は上記事情に鑑みてなされたもので、バッテリー端子やバッテリ用ターミナルの構造を複雑にすることなく、端子の接続方向の規制や、逆の電極への誤接続の防止を実現し、更に、バッテリ用ターミナルの確実な固定を容易にして作業時間の短縮を図ることができるバッテリーの端子接続構造を提供することを目的とする。
【０００８】
【課題を解決するための手段】
上記目的を達成するための本発明に係る請求項１記載のバッテリーの端子接続構造は、バッテリーの＋極及び−極のバッテリー端子を、先端に平坦な当接面が設けられた台座と、前記台座の先端の当接面に突設されると共に雄ねじが刻設された円柱状のポストとで構成し、且つ、前記各台座の片側には、＋極用と−極用とで前記ポストに対する位置が逆側となるように、スリットを装備し、各バッテリー端子に接続するバッテリ用ターミナルは、前記ポストの外径に応じたポスト挿通穴が貫通形成された平板部と、接続対象電極の台座のスリット位置に応じて前記平板部の一側縁に起立装備されて前記平板部を接続対象電極の台座の先端当接面に当接させた時に前記スリットに圧入される位置決めリブと、前記平板部の他側縁に前記位置決めリブと逆向きに起立装備された誤組み付け検出リブとを備え、各バッテリ用ターミナルは、平板部のポスト挿通穴に接続対象電極のポストを挿通後、前記ポストに螺合するナット部材で、接続対象電極の台座に締結固定されることを特徴とする。
【０００９】
そして、各バッテリ用ターミナルは、ポスト挿通穴にバッテリー端子のポストを挿通させると、そのポストが接続対象電極のものであれば、平板部が接続対象電極の台座の当接面に当接するまでポストを挿通させることが可能で、平板部が接続対象電極の台座の当接面に当接するまでポストを挿通できた時には、バッテリ用ターミナルに装備した位置決めリブがバッテリー端子の台座に装備されているスリットに圧入されて回り止めを果たし、同時に、位置決めリブとスリットとの圧入による係合力で、ポスト上にバッテリ用ターミナルが嵌合固定された仮固定状態となる。
この仮固定状態では、バッテリ用ターミナルをバッテリー端子に押さえ付けていなくても、バッテリ用ターミナルが位置ずれすることがない。従って、仮固定状態にした後は、ナット部材のポストへの螺合作業や、ナット部材による締め付け作業は、空いている両手を使用することができ、作業が行い易い。
【００１０】
一方、バッテリ用ターミナルのポスト挿通穴にバッテリー端子のポストを挿通させる際、ポストが接続対象電極でないと、位置決めリブ又は誤組み付け検出リブの何れか一方が台座の先端面に当たって、バッテリ用ターミナルの平板部が台座の当接面に対して傾斜した状態となり、結局、バッテリ用ターミナルの平板部を、接続対象電極の台座の当接面に当接するまでポストを挿通させることが不可能となって接続対象電極の選択の誤りが判明するため、バッテリ用ターミナルと接続対象電極との誤接続を防止することができる。
【００１１】
請求項２記載のバッテリーの端子接続構造は、バッテリーの＋極及び−極のバッテリー端子を、先端に平坦な当接面が設けられた台座と、前記台座の先端の当接面に突設されると共に雄ねじが刻設された円柱状のポストとで構成し、且つ、前記各台座には、＋極用と−極用とで位置が異なるように、あるいは、個数が相異するように、スリットを装備し、各バッテリー端子に接続するバッテリ用ターミナルは、前記ポストの外径に応じたポスト挿通穴が貫通形成された平板部と、接続対象電極の台座のスリット位置及びスリット数に応じて前記平板部の側縁に起立装備されて前記平板部を接続対象電極の台座の当接面に当接させた時に前記スリットに圧入される位置決めリブとを備え、各バッテリ用ターミナルは、平板部のポスト挿通穴に接続対象電極のポストを挿通後、前記ポストに螺合するナット部材で、接続対象電極の台座に締結固定されることを特徴とする。
【００１２】
このバッテリーの端子接続構造では、各バッテリ用ターミナルは、ポスト挿通穴にバッテリー端子のポストを挿通させると、そのポストが接続対象電極のものであれば、先に述べた請求項１記載のバッテリーの端子接続構造と同様、バッテリ用ターミナルに装備した位置決めリブがバッテリー端子の台座に装備されているスリットに圧入できて回り止めを果たし、同時に、位置決めリブとスリットとの圧入による係合力で、ポスト上にバッテリ用ターミナルが嵌合固定された仮固定状態となる。
そして、この仮固定状態にした後では、ナット部材のポストへの螺合作業や、ナット部材による締め付け作業は、空いている両手を使用することができ、作業が行い易い。
【００１３】
一方、バッテリ用ターミナルのポスト挿通穴にバッテリー端子のポストを挿通させる際、ポストが接続対象電極でない場合には、位置決めリブは、先に述べた請求項１記載のバッテリーの端子接続構造における誤組み付け検出リブを兼ねて台座の先端面に当たるため、バッテリ用ターミナルの平板部を、接続対象電極の台座の当接面に当接するまでポストを挿通させることが不可能となって接続対象電極の選択の誤りが判明し、バッテリ用ターミナルと接続対象電極との誤接続を防止することができる。
【００１４】
【発明の実施の形態】
以下、本発明に係るバッテリーの端子接続構造の好適な実施の形態を図面に基づいて詳細に説明する。
図１乃至図３は本発明に係るバッテリーの端子接続構造の第一の実施の形態を示したもので、図１はバッテリーの端子接続構造の要部の拡大斜視図、図２は図１に示した＋極用のバッテリー端子とバッテリ用ターミナルとの接続状態の拡大縦断面図、図３は図１に示したバッテリ用ターミナルを正規とは逆の極性のバッテリー端子に接続しようとした場合の作用説明図である。
【００１５】
この実施の形態のバッテリーの端子接続構造は、車両に搭載される電気回路への給電端子となる＋極及び−極のバッテリ用ターミナル２１，２２を、車載バッテリー２４の＋極用バッテリー端子２６及び−極用バッテリー端子２８にナット部材３６，３７によりそれぞれ締結固定するものである。
【００１６】
バッテリー端子２６，２８は、バッテリー本体２９の上面に装備された台座３０，３１と、それぞれの台座３０，３１に鉛直に突設された円柱状のポスト３３，３４とを備えた構成である。
台座３０，３１は、本実施の形態の場合、平面視で四角形を呈しており、先端面（上面）３０ａ，３１ａが、平坦な当接面になっている。
そして、各台座３０，３１の片側には、ポスト３３，３４に対する位置が＋極用と−極用とで互いに逆側となるように、スリット３５が装備されている。
【００１７】
ポスト３３，３４は、外周に雄ねじ３３ａ，３４ａが刻設されたねじ部材で、台座３０，３１の当接面３０ａ，３１ａの中心に立設され、導電性材料によって各台座３０，３１と一体形成されている。なお、本実施の形態の場合は、雄ねじ３３ａ，３４ａは、同一の呼び径である。
【００１８】
各バッテリー端子２６，２８に接続するそれぞれのバッテリ用ターミナル２１，２２は、台座３０，３１の当接面３０ａ，３１ａに当接させる平板部２１ａ，２２ａと、接続対象電極の台座に対するスリット３５の位置に相応して各平板部２１ａ，２２ａの一側縁に起立状態に装備されて、平板部２１ａ，２２ａを接続対象電極の台座の当接面３０ａ，３１ａに互いに平行な状態で当接させた時にスリット３５に圧入される位置決めリブ２１ｂ，２２ｂと、平板部２１ａ，２２ａの他側縁に位置決めリブ２１ｂ，２２ｂとは突出方向を逆向きにして起立装備された誤組み付け検出リブ２１ｃ，２２ｃと、電線４０，４１を圧着接続する電線加締め部２１ｄ，２２ｄとを有した構造である。
平板部２１ａ，２２ａには、接続対象電極のポスト３３，３４の外径に応じたポスト挿通穴４３，４４が貫通形成されている。
【００１９】
以上の各バッテリ用ターミナル２１，２２は、平板部２１ａ，２２ａのポスト挿通穴４３，４４に接続対象電極のポスト３３，３４を挿通させて、平板部２１ａ，２２ａを台座３０，３１の当接面３０ａ，３１ａに互いに平行な状態で当接させた後、ポスト３３，３４に螺合するナット部材３６，３７で接続対象電極の台座３０，３１に締結固定する。
【００２０】
上記構成によれば、バッテリ用ターミナル２１，２２は、平板部２１ａ，２２ａの一側縁に位置決めリブ２１ｂ，２２ｂを起立装備すると共に、平板部２１ａ，２２ａの他側縁に突出向きを位置決めリブ２１ｂ，２２ｂとは逆にした誤組み付け検出リブ２１ｃ，２２ｃを起立装備しただけの比較的に単純な構造であり、また、各バッテリー端子２６，２８も、台座３０，３１上に円柱状のポスト３３，３４と、ポスト３３，３４の片側に位置するスリット３５とを装備しただけの比較的に単純な構造である。
【００２１】
そして、各バッテリ用ターミナル２１，２２は、平板部２１ａ，２２ａのポスト挿通穴４３，４４にバッテリー端子２６，２８のポスト３３，３４を挿通させると、そのポスト３３，３４が接続対象電極のものであれば、平板部２１ａ，２２ａが接続対象電極の台座３０，３１の当接面３０ａ，３１ａに互いに平行な状態で当接するまでポスト３３，３４を挿通させることが可能である。
【００２２】
平板部２１ａ，２２ａが接続対象電極の台座３０，３１の当接面３０ａ，３１ａに当接するまで、ポスト３３，３４を挿通した時には、バッテリ用ターミナルの位置決めリブ２１ｂ，２２ｂが、バッテリー端子２６，２８の台座３０，３１に装備されたスリット３５に圧入されて回り止めを果たす。また同時に、位置決めリブ２１ｂ，２２ｂとスリット３５との圧入による係合力で、ポスト３３，３４上にバッテリ用ターミナル２１，２２が嵌合固定された仮固定状態となる。
この仮固定状態では、バッテリ用ターミナル２１，２２をバッテリー端子２６，２８に押さえていなくとも、バッテリ用ターミナル２１，２２が位置ずれすることがない。従って、仮固定状態にした後は、ナット部材３６，３７のポスト３３，３４への螺合作業や、ナット部材３６，３７による締め付け作業は、空いている両手を使用することができ、作業が行い易い。
【００２３】
一方、バッテリ用ターミナルのポスト挿通穴４３，４４にバッテリー端子２６，２８のポスト３３，３４を挿通させる際、そのポスト３３，３４が接続対象電極でない時には、位置決めリブ２１ｂ，２２ｂ又は誤組み付け検出リブ２１ｃ，２２ｃの何れかが台座３０，３１の先端に当たって、バッテリ用ターミナルの平板部２１ａ，２２ａが台座３０，３１の当接面３０ａ，３１ａに対して傾斜した状態となり、結局、バッテリ用ターミナルの平板部２１ａ，２２ａにポスト３３，３４を挿通させることが不可能となり、接続対象電極の選択が誤ったと判明されるため、誤接続の発生を防止することもできる。
なお、誤組み付け検出リブ２１ｃ，２２ｃが、台座の先端面に当接する場合とは、バッテリ用ターミナルを裏返しにした状態で、誤った電極に接続しようとした場合である。
【００２４】
即ち、以上の構成によれば、バッテリー端子２６，２８やバッテリ用ターミナルの構造を複雑にすることなく、端子の接続方向の規制や、逆の電極への誤接続の防止を実現することができる。
そして、ねじによる締め付け作業時にバッテリ用ターミナル２１，２２の押さえ付けのために片手がふさがることがなく、ねじによる締め付け作業を両手で行うことができ、また、作業中のバッテリ用ターミナル２１，２２の位置ずれによってねじ部品の落下等の不都合が発生することもないために、バッテリ用ターミナルの確実な固定を容易にして作業時間の短縮を実現することもできる。
【００２５】
なお、上記の実施の形態では、一つのバッテリー端子２６，２８を構成する台座３０，３１とポスト３３，３４は、導電性材料による一体構造としたが、それぞれを導電性材料によって個別に形成されたものを組立合体させて、電気的に接続された一体化構造とすることもできる。
また、台座３０，３１は、導電性材料による一体構造である必要はなく、例えば、バッテリ用ターミナルの平板部２１ａ，２２ａが直接接触する先端面の一部のみを導電性材料で形成して、他の部位は、絶縁材料で形成した構成でもよい。
【００２６】
また、スリットと位置決めリブとの関係は、上記の実施の形態だけに限らず、種々の構造が採れる。
次に、本発明に係るバッテリーの端子接続構造の他の実施の形態を示す。
図４は本発明に係るバッテリーの端子接続構造の第二の実施の形態を示す要部の拡大斜視図である。
なお、以下に示す各実施の形態では、先の実施の形態に示したものと位置決めリブ及びスリットの設定位置及び装備数が相異しており、また、位置決めリブが誤組み付け検出リブを兼ねたものでもある。
【００２７】
この実施の形態では、バッテリー端子１２６，１２８は、バッテリー本体１２９の上面に装備された台座１３０，１３１と、それぞれの台座１３０，１３１に鉛直に突設された円柱状のポスト１３３，１３４とを備えた構成である。
台座１３０，１３１は、本実施の形態の場合、平面視で四角形を呈しており、先端面（上面）１３０ａ，１３１ａが、平坦な当接面になっている。
そして、各台座１３０，１３１には、＋極用と−極用とで位置が異なるように設定した、対構成のスリット１３５が２個組装備されている。
【００２８】
つまり、バッテリー端子１２６では、ポスト１３３を挟む台座１３０の両側で、且つ、バッテリー本体１２９にそれぞれ近づく位置（図４中右寄り）に２組のスリット１３５が装備されている。１組のスリット１３５は、後述する＋極用及び−極用のバッテリ用ターミナル１２１，１２２の接続方向が互いに平行となるように、他の１組のスリット１３５は、バッテリ用ターミナル１２１，１２２の接続方向が互いに対向するように規制することができるものである。バッテリー端子１２８では、ポスト１３４を挟む台座１３１の両側で、且つ、バッテリー本体１２９からそれぞれ離れる位置（図４中上寄り）に２組のスリット１３５が装備されている。１組のスリット１３５は、上記のバッテリー端子１２６のスリット１３５と関連し、＋極用及び−極用のバッテリ用ターミナル１２１，１２２の接続方向が互いに平行方向となるように、他の１組のスリット１３５は、バッテリ用ターミナル１２１，１２２の接続方向が互いに対向するように規制することができるものである。
【００２９】
各バッテリー端子１２６，１２８に接続するバッテリ用ターミナル１２１，１２２は、平板部１２１ａ，１２２ａと、接続対象電極の台座に対するスリット１３５の位置に相応して各平板部１２１ａ，１２２ａの両側縁に起立状態に装備されて、平板部１２１ａ，１２２ａを接続対象電極の台座の当接面１３０ａ，１３１ａに互いに平行な状態で当接させた時にスリット１３５に圧入される位置決めリブ１２１ｂ，１２２ｂと、電線１４０，１４１を圧着接続する電線加締め部１２１ｄ，１２２ｄとを有した構造である。
つまり、バッテリ用ターミナル１２１では、平板部１２１ａの両側縁における先端寄りの位置に、突出方向を同方向にして起立状態に装備された１組の位置決めリブ１２１ｂを有し、バッテリ用ターミナル１２２では、平板部１２２ａの両側縁における後端寄りの位置に、突出方向を同方向にして起立状態に装備された１組の位置決めリブ１２２ｂを有した構造である。
【００３０】
以上の各バッテリ用ターミナル１２１，１２２は、平板部１２１ａ，１２２ａのポスト挿通穴１４３，１４４に接続対象電極のポスト１３３，１３４を挿通させて、平板部１２１ａ，１２２ａを台座１３０，１３１に平行な状態で当接させた後、ポスト１３３，１３４に螺合するナット部材１３６，１３７で、接続対象電極の台座１３０，１３１に締結固定する。
【００３１】
そして、バッテリ用ターミナル１２１，１２２は、接続対象電極に適用された場合には、位置決めリブ１２１ｂ，１２２ｂをそれぞれのスリット１３５に圧入させることができる。そして、各位置決めリブ１２１ｂ，１２２ｂは、バッテリー端子１２６，１２８のスリット１３５に圧入されて回り止めを果たす。また同時に、位置決めリブ１２１ｂ，１２２ｂとスリット１３５との圧入による係合力で、ポスト１３３，１３４上にバッテリ用ターミナル１２１，１２２が嵌合固定された仮固定状態に維持できる。
【００３２】
一方、バッテリ用ターミナル１２１，１２２の適用が、接続対象電極でない時には、位置決めリブ１２１ｂ，１２２ｂが台座１３０，１３１の先端に当たって、バッテリ用ターミナル１２１，１２２が台座１３０，１３１に対して傾斜した状態となり、接続対象電極の選択が誤ったと判明されるため、誤接続の発生を防止することもできる。
【００３３】
図５は本発明に係るバッテリーの端子接続構造の第三の実施の形態を示す要部の拡大斜視図である。
この実施の形態では、バッテリー端子２２６，２２８は、バッテリー本体２２９の上面に装備された台座２３０，２３１と、それぞれの台座２３０，２３１に鉛直に突設された円柱状のポスト２３３，２３４とを備えた構成である。
各台座２３０，２３１には、＋極用と−極用とで個数が相異するように設定した、スリット２３５ａ，２３５ｂが装備されている。
【００３４】
つまり、バッテリー端子２２６では、台座２３０の、バッテリー本体１２９に近い位置（図５中右寄り）の側縁に、それぞれスリット２３５ａが装備されている。一方のスリット２３５ａは、後述する＋極用及び−極用のバッテリ用ターミナル２２１，２２２の接続方向が互いに平行となるように、他方のスリット２３５ａは、バッテリ用ターミナル２２１，２２２の接続方向が互いに対向するように規制することができるものである。バッテリー端子２２８では、台座２３１の、バッテリー本体２２９に近い位置（図５中下寄り）の側縁に、上記したバッテリー端子２２６におけるスリット２３５ａよりも短寸に形成された２個組のスリット２３５ｂがそれぞれ装備されている。１組のスリット２３５ｂは、上記のバッテリー端子２２６におけるスリット２３５ａと関連して、＋極用及び−極用のバッテリ用ターミナル２２１，２２２の接続方向が互いに平行となるように、他方の組のスリット２３５ｂは、バッテリ用ターミナル２２１，２２２の接続方向が互いに対向するように規制することができるものである。
【００３５】
各バッテリー端子２２６，２２８に接続するそれぞれのバッテリ用ターミナル２２１，２２２は、平板部２２１ａ，２２２ａと、接続対象電極の台座に対するスリット２３５ａ，２３５ｂの設定位置及び個数に相応して各平板部２２１ａ，２２２ａに起立状態に装備されて、接続対象電極の台座のスリット２３５ａ，２３５ｂにそれぞれ圧入される位置決めリブ２２１ｂ，２２２ｂと、電線２４０，２４１を圧着接続する電線加締め部２２１ｄ，２２２ｄとを有した構造である。つまり、バッテリ用ターミナル２２１では、平板部２２１ａの先端側側縁に、起立状態に装備された１つの位置決めリブ２２１ｂを有し、バッテリ用ターミナル２２２では、平板部２２２ａの先端側側縁に、起立状態に装備された対構造の位置決めリブ２２２ｂを有した構造である。
【００３６】
以上の構成においても、各位置決めリブ２２１ｂ，２２２ｂは、バッテリー端子２２６，２２８のスリット２３５ａ，２３５ｂにそれぞれ圧入されて回り止めを果たす。また同時に、位置決めリブ２２１ｂ，２２２ｂとスリット２３５ａ，２３５ｂとの圧入による係合力で、ポスト２３３，２３４上にバッテリ用ターミナル２２１，２２２が嵌合固定された仮固定状態に維持できる。
【００３７】
一方、バッテリ用ターミナル２２１，２２２の適用が、接続対象電極でない時には、位置決めリブ２２１ｂ，２２２ｂが台座２３０，２３１の先端に当たって、バッテリ用ターミナル２２１，２２２が台座２３０，２３１に対して傾斜した状態となり、接続対象電極の選択が誤ったと判明されるため、誤接続の発生を防止することもできる。
【００３８】
図６は本発明に係るバッテリーの端子接続構造の第四の実施の形態を示す要部の拡大斜視図である。
この実施の形態では、バッテリー端子３２６，３２８は、バッテリー本体３２９の上面に装備された台座３３０，３３１と、それぞれの台座３３０，３３１に鉛直に突設された円柱状のポスト３３３，３３４とを備えた構成である。
そして、各台座３３０，３３１の、バッテリー本体３２９に近い位置の側縁には、＋極用と−極用とで装備位置が異なるように設定した、スリット３３５が装備されている。
【００３９】
つまり、バッテリー端子３２６では、台座３３０の、バッテリー本体３２９に近い位置（図６中右寄り）の側縁に、ポスト３３３，３３４に対する位置が＋極用と−極用とで互いに離間する関係、もしくは、互いに逆側となるように、スリット３３５が装備されている。なお、一方のスリット３３５は、後述する＋極用及び−極用のバッテリ用ターミナル３２１，３２２の接続方向が互いに平行となるように、他方のスリット３３５は、バッテリ用ターミナル３２１，３２２の接続方向が互いに対向するように規制することができるものである。バッテリー端子３２８では、台座３３１の、バッテリー本体３２９に近い位置（図６中下寄り）の側縁に、ポスト３３３，３３４に対する位置が＋極用と−極用とで互いに離間する関係、もしくは、互いに逆側となるように、スリット３３５が装備されている。なお、一方のスリット３３５は、上記のバッテリー端子３２６におけるスリット３３５と関連して、＋極用及び−極用のバッテリ用ターミナル３２１，３２２の接続方向が互いに平行となるように、他方のスリット３３５は、バッテリ用ターミナル３２１，３２２の接続方向が互いに対向するように規制することができるものである。
【００４０】
各バッテリー端子３２６，３２８に接続するそれぞれのバッテリ用ターミナル３２１，３２２は、平板部３２１ａ，３２２ａと、接続対象電極の台座に対するスリット３３５に相応して各平板部３２１ａ，３２２ａに起立状態に装備されて、接続対象電極の台座のスリット３３５にそれぞれ圧入される位置決めリブ３２１ｂ，３２２ｂと、電線３４０，３４１を圧着接続する電線加締め部３２１ｄ，３２２ｄとを有した構造である。
つまり、バッテリ用ターミナル３２１では、平板部３２１ａの先端側の右半分に、起立状態に装備された位置決めリブ３２１ｂを有し、バッテリ用ターミナル３２２では、平板部３２２ａの先端側の左半分に、起立状態に装備された位置決めリブ３２２ｂを有した構造である。
【００４１】
以上の構成においても、各位置決めリブ３２１ｂ，３２２ｂは、バッテリー端子３２６，３２８のスリット３３５に圧入されて回り止めを果たす。また同時に、位置決めリブ３２１ｂ，３２２ｂとスリット３３５との圧入による係合力で、ポスト３３３，３３４上にバッテリ用ターミナル３２１，３２２が嵌合固定された仮固定状態に維持できる。
【００４２】
一方、バッテリ用ターミナル３２１，３２２の適用が、接続対象電極でない時には、位置決めリブ３２１ｂ，３２２ｂが台座３３０，３３１の先端に当たって、バッテリ用ターミナル３２１，３２２が台座３３０，３３１に対して傾斜した状態となり、接続対象電極の選択が誤ったと判明されるため、誤接続の発生を防止することもできる。
特に、このような構成のバッテリ用ターミナル３２１，３２２では、図７に示すように、位置決めリブ３２１ｂ，３２２ｂ及び電線加締め部３２１ｄ，３２２ｄの起立方向を変更するだけで、同じ展開形状の導電板１００から作ることができて、製造コストの低減が図れる。
【００４３】
また、上記の第二〜第四の実施の形態では、位置決めリブと逆向きに起立装備されて突出する誤組み付け検出リブを省略しているので、他の部材、部位がこの検出リブに接触するような事態を回避できる。
【００４４】
【発明の効果】
本発明の請求項１記載のバッテリーの端子接続構造によれば、バッテリ用ターミナルは、平板部の一側縁に位置決めリブを起立装備すると共に、平板部の他側縁に突出向きを位置決めリブとは逆にした誤組み付け検出リブを起立装備しただけの比較的に単純な構造であり、また、各バッテリー端子も、台座上に円柱状のポストと、ポストの片側に位置するスリットとを装備しただけの比較的に単純な構造である。
【００４５】
そして、各バッテリ用ターミナルは、平板部のポスト挿通穴にバッテリー端子のポストを挿通させると、そのポストが接続対象電極でない時には、位置決めリブ又は誤組み付け検出リブの何れか一方が台座の当接面に当たって、バッテリ用ターミナルの平板部が接続相手の台座の当接面に互いに平行な状態で当接するまでポストを挿通させることが不可能となることから、接続対象電極の選択の誤りを検知でき、誤接続の発生を防止することができる。
一方、バッテリ用ターミナルに挿通させるポストが接続対象電極のものであれば、平板部が接続対象電極の台座の当接面に互いに平行な状態で当接するまでポストを挿通させることが可能であり、平板部が接続対象電極の台座の当接面に互いに平行な状態で当接するまでポストを挿通した時には、バッテリ用ターミナルの位置決めリブがバッテリー端子の台座に装備されたスリットに圧入されて回り止めを果たし、同時に、位置決めリブとスリットとの圧入による係合力で、ポスト上にバッテリ用ターミナルが嵌合固定された仮固定状態となる。
この仮固定状態では、バッテリ用ターミナルをバッテリー端子に押さえていなくとも、バッテリ用ターミナルが位置ずれすることがない。従って、仮固定状態にした後は、ナット部材のポストへの螺合作業や、ナット部材による締め付け作業は、両手で行うことができ、作業が行い易い。
【００４６】
即ち、以上の構成によれば、バッテリー端子やバッテリ用ターミナルの構造を複雑にすることなく、端子の接続方向の規制や、逆の電極への誤接続の防止を実現することができる。
そして、ねじによる締め付け作業時にバッテリ用ターミナルの押さえのために片手がふさがることがなく、ねじによる締め付け作業に両手を使うことができ、また、作業中のバッテリ用ターミナルの位置ずれによってねじ部品の落下等の不都合が発生することもないため、バッテリ用ターミナルの確実な固定を容易にして作業時間の短縮を実現することもできる。
【００４７】
また、本発明の請求項２記載のバッテリーの端子接続構造によれば、上記した請求項１における効果の他に、誤組み付け検出リブが省略されて、バッテリ用ターミナルの構造を簡単化できる。
【図面の簡単な説明】
【図１】本発明に係るバッテリーの端子接続構造の第一の実施の形態の要部の拡大斜視図である。
【図２】図１に示したバッテリー端子とバッテリ用ターミナルとの接続状態の拡大縦断面図である。
【図３】図１に示したバッテリーの端子接続構造において、バッテリ用ターミナルを正規とは逆の極性のバッテリー端子に接続しようとした場合の作用説明図である。
【図４】本発明に係るバッテリーの端子接続構造の第二の実施の形態の要部の拡大斜視図である。
【図５】本発明に係るバッテリーの端子接続構造の第三の実施の形態の要部の拡大斜視図である。
【図６】本発明に係るバッテリーの端子接続構造の第四の実施の形態の要部の拡大斜視図である。
【図７】図６に示したバッテリ用ターミナルの展開形状を示す図である。
【図８】従来のバッテリーの端子接続構造を示すバッテリー上面図である。
【図９】図８に示したバッテリー端子とバッテリ用ターミナルとの接続構造を示す拡大斜視図である。
【符号の説明】
２１，２２  バッテリ用ターミナル
２１ａ，２２ａ  平板部
２１ｂ，２２ｂ  位置決めリブ
２１ｃ，２２ｃ  誤組み付け検出リブ
２１ｄ，２２ｄ  電線加締め部
２４  バッテリー
２６  ＋極用バッテリー端子
２８  −極用バッテリー端子
２９  バッテリー本体
３０，３１  台座
３０ａ，３１ａ  先端面（当接面）
３３，３４  ポスト
３３ａ，３４ａ  雄ねじ
３５  スリット
３６，３７  ナット部材
４０，４１  電線
４３，４４  ポスト挿通穴
１２１，１２２，２２１，２２２，３２１，３２２  バッテリ用ターミナル
１２１ａ，１２２ａ，２２１ａ，２２２ａ，３２１ａ，３２２ａ  平板部
１２１ｂ，１２２ｂ，２２１ｂ，２２２ｂ，３２１ｂ，３２２ｂ  位置決めリブ
１３５，２３５ａ，２３５ｂ，３３５  スリット
【図１】
0003800487.tif 000002
【図２】
0003800487.tif 000003
【図３】
0003800487.tif 000004
【図４】
0003800487.tif 000005
【図５】
0003800487.tif 000006
【図６】
0003800487.tif 000007
【図７】
0003800487.tif 000008
【図８】
0003800487.tif 000009
【図９】
0003800487.tif 000010